(57)【要約】      （修正有）【課題】多種のハンドバッグや鞄に使用でき、所有の他のバッグ、鞄と共有活用もでき、他社路線乗り換えもできる自動改札機対応ＩＣカードポケット付バッグ底敷きを提供する。【解決手段】方形のシート状の本体部１の表面にＩＣカード２が入るＩＣカードポケット３を設け、バッグから取り外し可能にする。ＩＣカードポケット３にＩＣカード２を挿入し、バッグの底面を自動改札機の感知パネルにあてて改札機を通過するバッグの底面サイズに合わせて寸法を変えられるので多種のバッグに使用でき、取り外せるので他バッグとの共有もできる。ＩＣカードポケット３が複数付いていて他路線の乗換にも対応できる。【選択図】図１
0003189541.tif 000002
【実用新案登録請求の範囲】
【請求項１】
方形のシート状の本体部（1）の表面にＩＣカード（2）が入るＩＣカードポケット（3）を設けたバッグ用のＩＣカードポケット付底敷き。
【請求項２】
バッグ（１１）から取り外し可能になる様バッグ（１１）の底に敷いて使うことを特徴とする請求項１に記載のＩＣカードポケット付底敷き。
【請求項３】
ＩＣカードポケット（3）が複数設けられていることを特徴とする請求項１または２に記載のＩＣポケット付底敷き。
【請求項４】
バッグ（１１）の内側底部の大きさに合わせて切り取れるように本体（1）の周囲に切り取り目安線（４）を設けていることを特徴とする請求項１〜３のいずれか１項に記載のＩＣポケット付底敷き。
【請求項５】
中央部にはＩＣカードポケット（３）を取り付けていない折り曲げ用のスペースを設けていることを特徴とする請求項１〜４のいずれか１項に記載のＩＣポケット付底敷き。
【請求項６】
ＩＣカードポケット（３）の入り口手前にカード飛び出し防止用のＩＣカードストッパー（５）がついていることを特徴とする請求項１〜５のいずれか１項に記載のＩＣカード付底敷き。
【請求項７】
ＩＣカードポケット（３）の位置ずれ防止用の付属の上敷き（６）がさらに設けられていること特徴とする請求項１〜６のいずれか１項に記載のＩＣカード付底敷き。
【考案の詳細な説明】
【技術分野】
【０００１】
本考案は輸送機関である鉄道、路面バス等にＩＣカードを使って乗降する人が使用するバッグの底敷きに関するものである。
【背景技術】
【０００２】
ＩＣＯＣＡ（登録商標）等のＩＣカードは通勤や通学及び移動するたびに使用するもので、これを汚損や紛失から護るために、殆どの鉄道、路面バス利用者はこれをパスケースや財布についているカードポケットに入れている。ごく一部の人がバッグについているカードポケットにＩＣカードを入れてそのバッグを自動改札機の感知パネルにかざして利用して利用している（例えば、特許文献１，２を参照）
【先行技術文献】
【特許文献】
【０００３】
【特許文献１】特開２００９−１３６６０２号公報
【特許文献２】特開２００４−０１６５５１号公報
【考案の概要】
【考案が解決しようとする課題】
【０００４】
自動改札機を通過する時、服のポケットやバッグの中からパスケースや、財布をいちいち取り出さなければならない。その時他の物も一緒に持ち上がり紛失することもある。またバッグにＩＣポケットケースが付いたのもあるが、１つのＩＣカードにしか対応しないため他社路線や複数の乗換等に使えない。またＩＣポケットケースが付いていないバッグを使用する時には使えない。
【課題を解決するための手段】
【０００５】
請求項1記載のＩＣカードポケット付底敷きは方形シート状の本体部の表面にＩＣカードが入るポケットを1つ又は複数個設けたもので、このポケットの中にＩＣカードを入れる。このＩＣカードポケット付底敷きをハンドバッグや鞄の内側底面にカードポケット面を下にして敷き、その上に付属の上敷き乗せる。これにより手持ちの他のバッグにも手軽に活用できることを特徴とする。
【０００６】
請求項２記載のＩＣカードポケット付底敷きはバッグから取り外し可能になるようバッグの底に敷いて使うものである。これにより所有する他のバッグにも活用ができることを特徴とする。
【０００７】
請求項３記載のＩＣカードポケット付底敷きはＩＣカードポケットが複数設けられているので、他社路線ＩＣカード等も入れることができ、他線の乗換時に活用できることを特徴とする。
【０００８】
請求項４記載のＩＣカードポケット付底敷きは大きさの違うバッグ及び鞄に活用できるように切り取り目安線が印刷されているのでそれを目安に所持しているハンドバッグ等の内側底部に合う大きさにハサミ等で切断でき他のバッグ等にも共有活用ができることを特徴とする。
【０００９】
請求項５記載のＩＣカードポケット付底敷きは、大きさの違うバッグ及び鞄に活用する時、中心で折って寸法を調節することができるのを特徴とする。
【００１０】
請求項６記載のＩＣカードポケット付底敷きはＩＣカードが飛び出さないようストッパーが付いていることを特徴とする。
【００１１】
請求項７記載のＩＣカードポケット付底敷きはハンドバッグ内部の物及び取扱いによりカードポケットの位置がずれるのを防ぐ為の上敷きが付いていることを特徴とする。
【考案の効果】
【００１２】
本考案のＩＣカードポケット付底敷きは上記構成であるのでポケットにＩＣカードを入れ、ポケット面を下にしてバッグの内側底部に敷きその上に付属の上敷きをのせる。このバッグを駅の自動改札機のＩＣカード感知パネルにＩＣカードが入っている側のバッグ底面をあて、通過する。また他社ICカード使用の路線乗り換え時には、そのICカードが入っている方のバッグ底面を自動改札機のＩＣカード感知パネルにあて、通過する。この様にいちいち服のポケットやバッグからＩＣカードが入ったパスケースや財布を出すこともなく、その時に他の物も取り出し紛失する危険性も防ぎ、他社路線乗り換え時にもスムーズに改札を通過することができ、取り外しが簡単にできるので、所有の他のバッグにも使え共有活用ができる。
【図面の簡単な説明】
【００１３】
【図１】本考案のＩＣカードポケット付底敷きの構成を示す図であり（Ａ）は全体図、（Ｂ）は上敷き、（Ｃ）は切り取った後のＩＣカードポケット付底敷きを示す図。
【図２】本考案のＩＣカードポケット付底敷きをバッグの内側底部の寸法に合わしてハサミで切断している様子を示す説明図。
【図３】本考案のＩＣカードポケット付底敷きの上にのせる付属の上敷きをバッグの内側底部の寸法に合わして切断している様子を示す説明図。
【図４】本考案のＩＣカードポケット付底敷きをバッグ内側底部の寸法に合わして折り曲げている様子を示す説明図。
【図５】本考案のＩＣカードポケット付底敷きの一方のポケットだけしかＩＣカードを入れない時の様子を示す説明図。
【図６】本考案のＩＣカードポケット付底敷きをバッグに敷く時の様子を示す説明図。
【図７】本考案のＩＣカードポケット付底敷きをバッグの内側底部の寸法に合わしてミシン目に沿って切り離している様子を示す説明図。
【図８】本考案のＩＣカードポケット付底敷きの上にのせる付属の上敷きをバッグの内側底部の寸法に合わしてミシン目に沿って切り離している様子を示す説明図。
【考案を実施するための形態】
【００１４】
以下図面を用いて本考案の実施例を説明する。
【実施例】
【００１５】
図１（Ａ）は本考案のＩＣカードポケット付底敷き２０の表面を示す。本体部１の素材は例えば不織布ＰＰで寸法は３３ｃｍ×１１ｃｍ、ＩＣカード２が入るポケット３を２つ設けていて、ＩＣカード２の飛び出しを防ぐために幅２ｃｍのツメを設けている。
バッグの大きさに合わせて切り取る時の目安になる目安線４を５ｍｍ間隔で設けている。
図１（Ｂ）に示すように、ＩＣカードポケット付底敷き２０の上に乗せる厚手不織布の上敷き６にも切り取る時の目安になる目安線９を５ｍｍ間隔で設けている。
切り取ったＩＣカードポケット付底敷き１０にＩＣカードを挿入しているところを図１（Ｃ）に示す。
【００１６】
図２に示すように、ＩＣカードポケット付底敷き２０とバッグの内側底部の寸法が異なる場合には、バッグの内側底部の大きさに合わせてＩＣカードポケット付底敷き２０を切り取り目安線４に沿ってハサミで切断して使用する。
【００１７】
図３に示すように、ＩＣカードポケット付底敷き（２０）と同様に、バッグの内側底部の大きさに合わせて、上敷き６を切り取り目安線９に沿ってハサミで切断して使用する。
【００１８】
図４に示すように、バッグの内側底部の大きさに合わせて、ＩＣカードポケット付底敷き８を真ん中で折って寸法の調節をして使用する。
【００１９】
図５に示すようにバッグの寸法に合わせ切り取った、ＩＣカードポケット付底敷き１０の一つのＩＣカードポケット３だけにＩＣカード２を挿入して使用することもできる。
【００２０】
図６に示すように、バッグの内側底部にＩＣカードポケット付底敷き１０，２０をＩＣカードポケット３の面を下向きに敷き、その上に付属の上敷き６を敷いて使用する。
なお、上記ＩＣカードポケット付底敷き２０の寸法、素材については上記実施例の物に限ったものではない。さらに切り取り目安線４，９は手で切り取れるようミシン目を付けてもよい（図７、図８）。また、ＩＣカードポケット３の数も１個または３個以上でもよい。また、上記実施例のバッグはハンドバッグ、鞄、手提げバッグ、トートバッグ、ショルダーバッグ、ポシェットバッグ、ボストンバッグ等でもよい。
【符号の説明】
【００２１】
１  本体部
２  ＩＣカード
３  ＩＣカードポケット
４  切り取り目安線
５  ＩＣカードストッパー
６  上敷き
７  ハサミ
８  切断後に寸法調整のために折り曲げたＩＣカードポケット付底敷き  
９  切り取り目安線
１０  切断後のＩＣカードポケット付底敷き
１１  バッグ
２０  ＩＣカードポケット付底敷き
【図１】
0003189541.tif 000003
【図２】
0003189541.tif 000004
【図３】
0003189541.tif 000005
【図４】
0003189541.tif 000006
【図５】
0003189541.tif 000007
【図６】
0003189541.tif 000008
【図７】
0003189541.tif 000009
【図８】
0003189541.tif 000010
【手続補正書】
【提出日】平成26年1月17日(2014.1.17)
【手続補正１】
【補正対象書類名】実用新案登録請求の範囲
【補正対象項目名】全文
【補正方法】変更
【補正の内容】
【実用新案登録請求の範囲】
【請求項１】
方形のシート状の本体部（1）の表面にＩＣカード（2）が入るＩＣカードポケット（3）を設け、取り外し可能なバッグ用のＩＣカードポケット付底敷き。
【請求項２】
ＩＣカードポケット（3）が複数設けられていることを特徴とする請求項１に記載のＩＣカードポケット付底敷き。
【請求項３】
バッグ（１１）の内側底部の大きさに合わせて切り取れるように本体部（1）の周囲に切り取り目安線（４）を設けていることを特徴とする請求項１〜２のいずれか１項に記載のＩＣカードポケット付底敷き。
【請求項４】
中央部にはＩＣカードポケット（３）を取り付けていない折り曲げ用のスペースを設けていることを特徴とする請求項１〜３のいずれか１項に記載のＩＣカードポケット付底敷き。
【請求項５】
ＩＣカードポケット（３）の入り口手前にカード飛び出し防止用のＩＣカードストッパー（５）がついていることを特徴とする請求項１〜４のいずれか１項に記載のＩＣカードポケット付底敷き。
【請求項６】
ＩＣカードポケット（３）の位置ずれ防止用の付属の上敷き（６）がさらに設けられていること特徴とする請求項１〜５のいずれか１項に記載のＩＣカードポケット付底敷き。
【手続補正２】
【補正対象書類名】明細書
【補正対象項目名】全文
【補正方法】変更
【補正の内容】
【考案の詳細な説明】
【技術分野】
【０００１】
本考案は輸送機関である鉄道、路面バス等にＩＣカードを使って乗降する人が使用するバッグの底敷きに関するものである。
【背景技術】
【０００２】
ＩＣＯＣＡ（登録商標）等のＩＣカードは通勤や通学及び移動するたびに使用するもので、これを汚損や紛失から護るために、殆どの鉄道、路面バス利用者はこれをパスケースや財布についているカードポケットに入れている。ごく一部の人がバッグについているカードポケットにＩＣカードを入れてそのバッグを自動改札機の感知パネルにかざして利用して利用している（例えば、特許文献１，２を参照）
【先行技術文献】
【特許文献】
【０００３】
【特許文献１】特開２００９−１３６６０２号公報
【特許文献２】特開２００４−０１６５５１号公報
【考案の概要】
【考案が解決しようとする課題】
【０００４】
自動改札機を通過する時、服のポケットやバッグの中からパスケースや、財布をいちいち取り出さなければならない。その時他の物も一緒に持ち上がり紛失することもある。またバッグにＩＣポケットケースが付いたのもあるが、１つのＩＣカードにしか対応しないため他社路線や複数の乗換等に使えない。またＩＣポケットケースが付いていないバッグを使用する時には使えない。
【課題を解決するための手段】
【０００５】
請求項1記載のＩＣカードポケット付底敷きは方形シート状の本体部の表面にＩＣカードが入るポケットを1つ又は複数個設けたもので、このポケットの中にＩＣカードを入れる。このＩＣカードポケット付底敷きをハンドバッグや鞄の内側底面にカードポケット面を下にして敷き、その上に付属の上敷き乗せる。これにより手持ちの他のバッグにも手軽に活用できることを特徴とする。
【０００６】
ＩＣカードポケット付底敷きはバッグから取り外し可能になるようバッグの底に敷いて使うものである。これにより所有する他のバッグにも活用ができることを特徴とする。
【０００７】
請求項２記載のＩＣカードポケット付底敷きはＩＣカードポケットが複数設けられているので、他社路線ＩＣカード等も入れることができ、他線の乗換時に活用できることを特徴とする。
【０００８】
請求項３記載のＩＣカードポケット付底敷きは大きさの違うバッグ及び鞄に活用できるように切り取り目安線が印刷されているのでそれを目安に所持しているハンドバッグ等の内側底部に合う大きさにハサミ等で切断でき他のバッグ等にも共有活用ができることを特徴とする。
【０００９】
請求項４記載のＩＣカードポケット付底敷きは、大きさの違うバッグ及び鞄に活用する時、中心で折って寸法を調節することができるのを特徴とする。
【００１０】
請求項５記載のＩＣカードポケット付底敷きはＩＣカードが飛び出さないようストッパーが付いていることを特徴とする。
【００１１】
請求項６記載のＩＣカードポケット付底敷きはハンドバッグ内部の物及び取扱いによりカードポケットの位置がずれるのを防ぐ為の上敷きが付いていることを特徴とする。
【考案の効果】
【００１２】
本考案のＩＣカードポケット付底敷きは上記構成であるのでポケットにＩＣカードを入れ、ポケット面を下にしてバッグの内側底部に敷きその上に付属の上敷きをのせる。このバッグを駅の自動改札機のＩＣカード感知パネルにＩＣカードが入っている側のバッグ底面をあて、通過する。また他社ICカード使用の路線乗り換え時には、そのICカードが入っている方のバッグ底面を自動改札機のＩＣカード感知パネルにあて、通過する。この様にいちいち服のポケットやバッグからＩＣカードが入ったパスケースや財布を出すこともなく、その時に他の物も取り出し紛失する危険性も防ぎ、他社路線乗り換え時にもスムーズに改札を通過することができ、取り外しが簡単にできるので、所有の他のバッグにも使え共有活用ができる。
【図面の簡単な説明】
【００１３】
【図１】本考案のＩＣカードポケット付底敷きの構成を示す図であり（Ａ）は全体図、（Ｂ）は上敷き、（Ｃ）は切り取った後のＩＣカードポケット付底敷きを示す図。
【図２】本考案のＩＣカードポケット付底敷きをバッグの内側底部の寸法に合わしてハサミで切断している様子を示す説明図。
【図３】本考案のＩＣカードポケット付底敷きの上にのせる付属の上敷きをバッグの内側底部の寸法に合わして切断している様子を示す説明図。
【図４】本考案のＩＣカードポケット付底敷きをバッグ内側底部の寸法に合わして折り曲げている様子を示す説明図。
【図５】本考案のＩＣカードポケット付底敷きの一方のポケットだけしかＩＣカードを入れない時の様子を示す説明図。
【図６】本考案のＩＣカードポケット付底敷きをバッグに敷く時の様子を示す説明図。
【図７】本考案のＩＣカードポケット付底敷きをバッグの内側底部の寸法に合わしてミシン目に沿って切り離している様子を示す説明図。
【図８】本考案のＩＣカードポケット付底敷きの上にのせる付属の上敷きをバッグの内側底部の寸法に合わしてミシン目に沿って切り離している様子を示す説明図。
【考案を実施するための形態】
【００１４】
以下図面を用いて本考案の実施例を説明する。
【実施例】
【００１５】
図１（Ａ）は本考案のＩＣカードポケット付底敷き２０の表面を示す。本体部１の素材は例えば不織布ＰＰで寸法は３３ｃｍ×１１ｃｍ、ＩＣカード２が入るポケット３を２つ設けていて、ＩＣカード２の飛び出しを防ぐために幅２ｃｍのツメを設けている。
バッグの大きさに合わせて切り取る時の目安になる目安線４を５ｍｍ間隔で設けている。
図１（Ｂ）に示すように、ＩＣカードポケット付底敷き２０の上に乗せる厚手不織布の上敷き６にも切り取る時の目安になる目安線９を５ｍｍ間隔で設けている。
切り取ったＩＣカードポケット付底敷き１０にＩＣカードを挿入しているところを図１（Ｃ）に示す。
【００１６】
図２に示すように、ＩＣカードポケット付底敷き２０とバッグの内側底部の寸法が異なる場合には、バッグの内側底部の大きさに合わせてＩＣカードポケット付底敷き２０を切り取り目安線４に沿ってハサミで切断して使用する。
【００１７】
図３に示すように、ＩＣカードポケット付底敷き（２０）と同様に、バッグの内側底部の大きさに合わせて、上敷き６を切り取り目安線９に沿ってハサミで切断して使用する。
【００１８】
図４に示すように、バッグの内側底部の大きさに合わせて、ＩＣカードポケット付底敷き８を真ん中で折って寸法の調節をして使用する。
【００１９】
図５に示すようにバッグの寸法に合わせ切り取った、ＩＣカードポケット付底敷き１０の一つのＩＣカードポケット３だけにＩＣカード２を挿入して使用することもできる。
【００２０】
図６に示すように、バッグの内側底部にＩＣカードポケット付底敷き１０，２０をＩＣカードポケット３の面を下向きに敷き、その上に付属の上敷き６を敷いて使用する。
なお上記ＩＣカードポケット付底敷き２０の寸法、素材については上記実施例の物に限ったものではない。さらに切り取り目安線４，９は手で切り取れるようミシン目を付けてもよい（図７、図８）。また、ＩＣカードポケット３の数も１個または３個以上でもよい。また、上記実施例のバッグはハンドバッグ、鞄、手提げバッグ、トートバッグ、ショルダーバッグ、ポシェットバッグ、ボストンバッグ等でもよい。
【符号の説明】
【００２１】
１  本体部
２  ＩＣカード
３  ＩＣカードポケット
４  切り取り目安線
５  ＩＣカードストッパー
６  上敷き
７  ハサミ
８  切断後に寸法調整のために折り曲げたＩＣカードポケット付底敷き  
９  切り取り目安線
１０  切断後のＩＣカードポケット付底敷き
１１  バッグ
２０  ＩＣカードポケット付底敷き